(57)【要約】【課題】本発明の課題は、引金部材（トリガ）の状態をシートスイッチにより電気的に導通状態・非導通状態として検出可能にし、また、シートスイッチを用いることにより、砂塵及びごみが接点端子部分に付着することによる接点不良をなくすことが可能となるスイッチ装置を提供することにある。【解決手段】本発明は、ハウジング１に回転軸３により回転自在に取付けられたトリガ２と、トリガ２に連動するように設けられた押圧部材５と、押圧部材５の移動位置に設けられたシートスイッチ１２と、押圧部材５をシートスイッチ１２から離す方向に力が加えられるばね４と、シートスイッチ１２の一対の接点端子にそれぞれ電気的に接続されたコネクタ１０とを具備することを特徴とするものである。【選択図】図１
2011222135.tif 000002
【特許請求の範囲】
【請求項１】
ハウジングに回転軸により回転自在に取付けられた引金部材と、
前記引金部材に連動するように設けられた押圧部材と、
前記押圧部材の移動位置に設けられたシートスイッチと、
前記押圧部材を前記シートスイッチから離す方向に力が加えられるばねと、
前記シートスイッチの一対の接点端子にそれぞれ電気的に接続されたコネクタと
を具備することを特徴とするスイッチ装置。
【請求項２】
シートスイッチを押圧部材との間隔を変えるように移動するスライド部材と、
前記スライド部材を移動する調整つまみと、
前記調整つまみを所定の間隔でクリック調整するプランジャと
を具備することを特徴とする請求項１に記載のスイッチ装置。
【請求項３】
押圧部材にクッションを設けたことを特徴とする請求項１又は２に記載のスイッチ装置。
【発明の詳細な説明】
【技術分野】
【０００１】
本発明は、例えばレーザ送信装置よりレーザを発射する訓練用小火器（小銃・機関銃）の引金操作に連動し、レーザの発射タイミングを電気的に検出するシートスイッチ式のスイッチ装置に関する。
【背景技術】
【０００２】
従来、レーザ送信装置よりレーザを発射する訓練用小火器（小銃・機関銃）においては、引金部分の操作から機械的にリンク構造を用いてレーザ送信装置のスイッチレバーを稼動させてレーザを発射している。
【先行技術文献】
【特許文献】
【０００３】
【特許文献１】特開平９−４２８９３号公報
【特許文献２】特開２００２−８１８９７号公報
【発明の概要】
【発明が解決しようとする課題】
【０００４】
しかしながら、レーザ送信装置よりレーザを発射する訓練用小火器（小銃・機関銃）の引金操作から機械的にリンク構造を用いてレーザ送信装置のスイッチレバーを稼動させる場合、レーザの発射タイミング調整が微妙であり、固定ねじの締め込みにより調整不良が発生しやすく煩雑な作業であった。また、引金部とレーザ送信装置の機械的位置関係についても限定されるため、レーザ送信装置は各小火器専用品となっていた。
【０００５】
本発明は上記の事情に鑑みてなされたもので、引金部材（トリガ）の状態をシートスイッチにより電気的に導通状態・非導通状態として検出し、前記導通状態・非導通状態に応じた電気信号をレーザ送信装置に伝送可能とし、また、シートスイッチを用いることにより、砂塵及びごみが接点端子部分に付着することによる接点不良を防止するスイッチ装置を提供することを目的とする。
【課題を解決するための手段】
【０００６】
上記目的を達成するために本発明のスイッチ装置は、ハウジングに回転軸により回転自在に取付けられた引金部材と、前記引金部材に連動するように設けられた押圧部材と、前記押圧部材の移動位置に設けられたシートスイッチと、前記押圧部材を前記シートスイッチから離す方向に力が加えられるばねと、前記シートスイッチの一対の接点端子にそれぞれ電気的に接続されたコネクタとを具備することを特徴とするものである。
【０００７】
また本発明は、前記スイッチ装置において、シートスイッチを押圧部材との間隔を変えるように移動するスライド部材と、前記スライド部材を移動する調整つまみと、前記調整つまみを所定の間隔でクリック調整するプランジャとを具備することを特徴とするものである。
【０００８】
また本発明は、前記スイッチ装置において、押圧部材にクッションを設けたことを特徴とするものである。
【発明の効果】
【０００９】
本発明のスイッチ装置は、引金部材（トリガ）の状態をシートスイッチにより電気的に導通状態・非導通状態として検出し、前記導通状態・非導通状態に応じた電気信号をレーザ送信装置に伝送可能とすることにより、スイッチ装置とレーザ送信装置の装着位置の機械的制約をなくすことが可能となる。これにより、レーザ送信装置を複数種類の小火器に共通化することができる。そして、スイッチ装置をレーザ送信装置に装着後のスイッチ装置の検出タイミング調整方法は調整つまみを回転しシートスイッチの押圧するタイミングを可変させることで調整可能となるため、煩雑な作業は解消される。また、シートスイッチは一対の接点端子がカバーで覆われているため、砂塵及びごみが接点端子部分に付着することによる接点不良をなくすことが可能となる。これにより、接点端子部分の定期的な清掃作業などの煩雑なメンテナンス作業は解消される。
【図面の簡単な説明】
【００１０】
【図１】本発明の実施形態に係るスイッチ装置を示す斜視図である。
【図２】（ａ）は本発明の実施形態に係るスイッチ装置を示す側面図、（ｂ）は（ａ）のＡ−Ａ´線断面図である。
【発明を実施するための形態】
【００１１】
以下図面を参照して本発明の実施の形態を詳細に説明する。
【００１２】
図１は本発明の実施形態に係るスイッチ装置を示す斜視図、図２（ａ）は本発明の実施形態に係るスイッチ装置を示す側面図、図２（ｂ）は図２（ａ）のＡ−Ａ´線断面図である。
【００１３】
図１及び図２において、１はハウジング、２はトリガ（引金部材）、３はトリガ回転軸、４はねじりコイルばね、５は押圧部材、６は調整つまみ、７はスライド部材、８は調整ねじ、９はプランジャ、１０はコネクタ、１１は干渉クッション、１２はシートスイッチである。
【００１４】
図１及び図２に示すように、板状の枠体よりなるハウジング１の先端部には調整つまみ６が軸方向を略水平にして回転自在に設けられ、前記調整つまみ６の中心軸部には調整ねじ８がねじ込まれて略水平に設けられる。前記調整ねじ８にはスライド部材７が一体に略水平に延長して設けられ、前記スライド部材７の後端部にはシートスイッチ１２が水平方向に対して傾斜して設けられる。前記ハウジング１には調整つまみ６を所定の間隔でクリック調整するためのプランジャ９が圧入して設けられる。
【００１５】
前記シートスイッチ１２はカバーで覆われた内部に一対の接点端子が設けられ、カバーの外部から押圧されることにより一対の接点端子が接続されて導通状態となり、カバーの外部からの押圧を解放することにより一対の接点端子が開放されて非導通状態になるようにシート状に構成される。
【００１６】
前記ハウジング１の後端部にはトリガ２が下方に突出してトリガ回転軸３により回転自在に設けられると共に、トリガ２にはねじりコイルばね４により矢印Ｂ方向に対して反対方向の回転力が与えられる。前記トリガ２の上端部には干渉クッション１１を介して先端部が半球状の押圧部材５が先端部をシートスイッチ１２方向にして設けられる。前記干渉クッション１１はトリガ２の引き過ぎによる押圧部材５、シートスイッチ１２、及びトリガ２等のスイッチ装置の破損を防止するために設けられる。
【００１７】
前記ハウジング１の上部にはコネクタ１０が設けられ、前記コネクタ１０は前記シートスイッチ１２の一対の接点端子に電気的に接続されている。前記コネクタ１０は接続ケーブルによりレーザ送信装置に接続される。
【００１８】
すなわち、トリガ２に指をかけて矢印Ｂ方向に引くことにより、トリガ２はねじりコイルばね４の回転力に逆らって矢印Ｂ方向に回転し、押圧部材５の先端部がシートスイッチ１２を押圧することにより、シートスイッチ１２の一対の接点端子が接触して導通状態になる。なお、調整つまみ６を回転することにより、調整ねじ８によりスライド部材７が略水平方向に移動し、前記シートスイッチ１２が略水平方向に移動して押圧部材５とシートスイッチ１２との接触するタイミングが調整可能となる。この場合、調整つまみ６はプランジャ９により所定の間隔でクリック調整される。
【００１９】
一方、トリガ２から指を離すと、トリガ２はねじりコイルばね４の回転力により矢印Ｂ方向に対して反対方向に回転し、押圧部材５の先端部がシートスイッチ１２から離れて非導通状態になる。
【００２０】
シートスイッチ１２の一対の接点端子間の導通状態または非導通状態を表す電気的信号はインターフェースとなるコネクタ１０から接続ケーブルでレーザ送信装置に伝送される。
【００２１】
以上のように本発明の実施形態に係るスイッチ装置によれば、ハウジング１及びトリガ回転軸３に支持されたトリガ２を具備し、トリガ２に取付けた押圧部材５はトリガ２に連動して可動し、シートスイッチ１２を押圧し、電気的信号を導通状態にする。稼動させたトリガ２はねじりコイルばね４で、元の状態に戻り、電気的信号を非導通状態にする。また、電気的信号の導通もしくは非導通の状態を接続ケーブルでレーザ送信装置に伝送するためのインターフェースとなるコネクタ１０が設けられる。
【００２２】
また、シートスイッチ１２はスライド部材７に固定されており、調整つまみ６と連動し、調整つまみ６によりスライド部材７がシートスイッチ１２と押圧部材５との間隔を変えるように移動することにより押圧部材５で押圧されるタイミングが調整可能となる。また、調整つまみ６はハウジング１に圧入されたプランジャ９で任意の間隔でクリック調整を可能とする。
【００２３】
また、トリガ２の引き過ぎによるスイッチ装置の破損を防止するため、押圧部材５の後部に干渉クッション（αＧＥＬＬ）１１が設けられる。
【００２４】
したがって、安全で、引金操作の電気的検出及び検出タイミングの調整を行うことができる。
【００２５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００２６】
１…ハウジング、２…トリガ（引金部材）、３…トリガ回転軸、４…ねじりコイルばね、５…押圧部材、６…調整つまみ、７…スライド部材、８…調整ねじ、９…プランジャ、１０…コネクタ、１１…干渉クッション、１２…シートスイッチ。
【図１】
2011222135.tif 000003
【図２】
2011222135.tif 000004